(57)【特許請求の範囲】
【請求項１】
複数の紙幣を帯状媒体にて結束する紙幣施封装置において、前記帯状媒体を加熱して接着させる加熱手段と、該加熱手段を接着位置と待機位置との間で移動させる移動手段と、前記待機位置を検出する位置検出手段と、前記加熱手段の移動に応じて前記加熱手段への電気的接続状態を変化させる接点とを設け、
前記位置検出手段により前記待機位置が検出されると、前記接点を介して前記加熱手段へ電源を供給して前記接点を電気的に接続することを特徴とする紙幣施封装置。
【請求項２】
前記接点は、前記加熱手段が前記接着位置にあるときには電気的に接続しないように構成したことを特徴とする請求項１記載の紙幣施策装置。
【請求項３】
前記加熱手段への電源の供給を停止すると、前記移動手段が前記接着位置に移動することを特徴とする請求項１または２記載の紙幣施封装置。
【発明の詳細な説明】
【０００１】
【発明の属する技術分野】
この発明は、金融機関などで使用する現金処理装置に関するものである。
【０００２】
【従来の技術】
従来から金融機関では、紙幣を整理する際に、１００枚ごとに紙帯で施封している。この施封作業は人手で行なうほか、最近ではバラの紙幣を投入するだけで金種別に整理して施封する装置や、現金の元方管理機能を持ち使用者の要求に応じてバラの現金を受入れ又は払出しをしたり、投入された紙幣を装置内で施封した上で保管し、必要に応じて払出す装置も使用されている。
【０００３】
このような施封を行なう装置では、複数枚の紙幣を任意枚数集積し、その後結束するための紙帯を集積された紙幣に巻き付けた上で、紙帯をヒータにより加熱して接着する。この紙幣施封装置の施封機構部は図６で示すようになっている。５１はヒータアームであり、アーム回転中心５４を中心として回転する。５２はヒータであり、ヒータコード５３が図示せぬ制御部まで接続されている。接着時はヒータモータ５７によってヒータアーム５１を接着位置まで移動させ、図示せぬ制御部から電流をヒータ５２に流し、ヒータ５２が発熱することによって紙帯の接着を行なう。
【０００４】
【発明が解決しようとする課題】
しかし、従来の紙幣施封装置の施封機構部では、制御部からヒータ５２までヒータコード５３によって接続されているため、ヒータアーム５１の回転に応じてヒータコード５３も移動するようになっていた。
【０００５】
そのためヒータコード５３の引き回し領域を十分に確保する必要や、断線防止のための処置などに考慮する必要などがあった。
【０００６】
【課題を解決するための手段】
本発明は上述の課題を解決するために、複数の紙幣を帯状媒体にて結束する紙幣施封装置において、前記帯状媒体を加熱して接着させる加熱手段と、該加熱手段を接着位置と待機位置との間で移動させる移動手段と、前記加熱手段の移動に応じて前記加熱手段への電気的接続状態を変化させる接点を設け、該接点を介して前記加熱手段に電源を供給すること特徴としたものである。
【０００７】
また、前記接点は、前記加熱手段が前記待機位置にあるときには電気的に接続し、前記加熱手段が前記接着位置にあるときには電気的に接続しないように構成したことを特徴としたものである。
また、前記接点の接続状態を検出することにより、前記接点が電気的に接続しているときに、前記加熱手段へ電源を供給するようにしたことを特徴としたものである。
【０００８】
【発明の実施の形態】
以下、この発明の実施の形態を図面を参照して説明する。
図２はこの発明を適用した紙幣施封装置の施封機構部全体を示す図である。なお、本紙幣施封装置では、この他電源、制御部、紙幣スタッカ、紙幣搬送路などが設けられているが説明は省略する。
１は紙幣であり、図示せぬ搬送機構によって紙幣施封機構部に搬送されて来る。２は帯状媒体としての紙帯であり、紙幣施封機構部の外部から供給され、紙幣１に図示せぬ巻き付け機構によって巻き付けられる。図２では紙幣１の周囲を紙帯２が巻き付けられた状態を示し、端部が紙帯２'の位置にある。
【０００９】
３はヒータアームであり、紙幣接着時に可動するヒータヘッド５が装着されている。４はカッタであり、紙帯２を切断する働きをする。５は加熱手段としてのヒータであり、接着時には接着位置６まで移動してヒータを加熱することにより接着を行なう。７はテープフィードユニットであり、紙帯２の紙送りを行なう。
【００１０】
図１は施封機構部の待機時状態を示す図であり、接着動作時は図３で示すようにヒータアーム３が回動する。９はヒータコードであり、ヒータ５と可動側接点１６とを結んでいる。１０は固定側接点であり、可動側接点１６と待機位置では接触して電気的接続を行ない、接着位置では離れるようになっている。１１は移動手段としてのヒータモータであり、ヒータモータエンコーダ１２を回転させ、ヒータモータエンコーダ１２に装着されているピンによってヒータアーム３を回転させる。ヒータモータエンコーダ１２にはピンとスリット１４があり、検知センサ１３はスリット１４の検知を行なう。ヒータアーム３はアーム回転中心１５を中心として回転する。
【００１１】
図４は本発明の施封機構部のブロック図であり、ヒータへ電源を供給する電源４１、紙幣施封機構部を制御する制御基板４４、固定側接点１０と可動側接点１６からなるスイッチ４３、ヒータモータ１１、ヒータ５、検知センサ１３からなる。
【００１２】
次に本装置の接着動作を図５に従って説明する。予め紙幣１に紙帯２は巻かれており、カッタ４で紙帯２は切断されているものとする。
図１で示すように、ヒータアーム３は検知センサ１３がスリット１４を検知している状態にある。このとき、固定側接点１０と可動側接点１６は接触している。もし検知センサ１３がスリット１４を検知していない場合は接点が接触していないので、待機する（ＳＴ３１）。
【００１３】
次に、ヒータ５へ通電し、ヒータを加熱する（ＳＴ３２）。そして、図示せぬ上位装置から接着指令が来るのを待つ（ＳＴ３３）。上位装置は、ヒータ５が通電してから、接着に必要な温度まで加熱される時間まで待った後に接着指令を出す。接着指令が来ると、ヒータ５への通電を停止し（ＳＴ３４）、ヒータモータ１１を一定時間駆動させてヒータ５を接着位置まで駆動させ、接着を行ない（ＳＴ３５）、ヒータを元の位置へ戻す。
【００１４】
なお、本実施の形態では、接着位置においてはヒータ５の温度は時間とともに下がるため、紙幣や紙帯の温度が必要以上に上昇しないという効果が得られる。また、固定側接点１０及び可動側接点１６によってヒータコードを分離したため、ヒータアーム３を動作させる際にヒータコードが屈曲可動する部分がなく、ヒータコードが断線するということがないという効果が得られる。また、ヒータコードが電源からヒータ５まで直接繋がっていると屈曲部にヒータコードが動く範囲を確保する必要があるが、この構造にしたために、領域を確保しなくてよい。
【００１５】
なお、本実施の形態では、スリットセンサ１３により接点の接続状態を検出するようにしたが、これのほか接点に電流を流して接続状況を検出する方法などであってもよい。
また、本実施の形態では、ヒータが待機位置にある時に接点が接続し、接着位置にあるときに接点が離れるように構成したが、本発明はそれに限らない。ヒータが待機位置にある時に接点が離れ、接着位置にあるときに接点が接触するように接点１０の位置を変更して構成してもよい。この場合は前述したヒータコードが断線することがない効果と、ヒータコードが動く範囲を確保する必要がないという効果が得られる。
【００１６】
また、本実施の形態では、接点の状態を検知センサ１３で検知し、その結果に応じて制御部でヒータへの通電を制御していたが、本発明はそれに限らない。常時通電しておき、ヒータアーム３の動作による接点の接触、開放により制御してもよい。
さらに、本実施の形態ではヒータを可動とする方法について説明したが、ヒータを固定して紙幣を回転させるように応用しても良い。
【００１７】
【発明の効果】
以上詳述したようにこの発明によれば、ヒータの移動に応じてヒータへの電気的接続状態を変化させる接点を設けたので、ヒータコードの断線を防止することができるという効果が得られる。
【図面の簡単な説明】
【図１】本発明の施封機構部の待機時状態を示す図である。
【図２】本発明の施封機構部の全体を説明する図である。
【図３】本発明の紙幣接着時の動作を説明する図である。
【図４】本発明の施封機構部のブロック図である。
【図５】本発明の施封機構部の動作を説明する図である。
【図６】従来の紙幣施封装置の施封機構部を説明する図である。
【符号の説明】
１  紙幣
２  紙帯
３  ヒータアーム
４  カッター
５  ヒータ
６  接着位置
７  テープフィードユニット
９  ヒータコード
１０  固定側接点
１１  ヒータモータ
１２  ヒータモータエンコーダ
１３  ヒータ位置検出センサ
１４  スリット
１５  アーム回転中心
１６  可動側接点
１７  ピン
４１  電源
４２  リレー
４３  スイッチ
４４  制御部
５１  ヒータアーム
５２  ヒータ
５３  ヒータコード
５４  アーム回転中心
５５  ピン
５６  ヒータ位置検出センサ
５７  ヒータモータ
【図１】
0004821052.tif 000002
【図２】
0004821052.tif 000003
【図３】
0004821052.tif 000004
【図４】
0004821052.tif 000005
【図５】
0004821052.tif 000006
【図６】
0004821052.tif 000007